(57)【特許請求の範囲】
【請求項１】
プラスチック製のケース(1)に嵌合したラッチ棒(3)の先端係合部(3a)を係止部(103)に係合させて鎖錠を行うラッチ錠において、ケース(1)の外面に囲装した補強部材(2)をケース(1)に対して着脱自在したものとして、該補強部材(2)は底枠板部(2a)の両側に側枠板部(2b)、(2b)を折曲形成して前記ケース(1)の底面(1a)及び両側面(1b)、(1b)を覆うものとし、さらに、前記ケース(1)の上部周縁に張設した鍔板(11)の下面に添装する庇板部(2c)を前記側枠板部(2b)、(2b)の先端に折曲形成したことを特徴とするラッチ錠。
【請求項２】
ケース(1) の外面に補強部材嵌合用の凹段部(13)を形成した請求項１に記載のラッチ錠。
【発明の詳細な説明】
【０００１】
【発明の属する技術分野】
本発明は、箱の扉や蓋、側板等のパネルを取付保持するため使用するラッチ錠に関するものである。
【０００２】
【従来の技術】
パネルを取付保持するため使用するラッチ錠は、軽量で安価に量産できることからケースをプラスチックにより製造したものが使用されている。
【０００３】
【発明が解決しようとする課題】
ところが、このようなケースをプラスチック製としたラッチ錠にあっては、特にパネル自体の大きさが大きいものや、耐震性が要求される箱に使用するものでは、パネルの振動等によりラッチ錠に加わる振動や衝撃が大きくなり図６に示すように係止部５１に先端係合部５２を係合させたラッチ棒５３がプラスチック製のケース５５を損傷する虞があり、ラッチ錠としての機能を喪失してパネルが外れパネルに取り付けた機器が損傷して二次的な被害を発生させる可能性もあった。このため、ケース５５の強度を増したものを別途製造し、用途に応じて使い分けをしていた。しかし、製造コストや部品管理のコストがかかるという問題があった。
【０００４】
【課題を解決するための手段】
前記の課題を解決するためになされた本発明のラッチ錠は、プラスチック製のケースに嵌合したラッチ棒の先端係合部を係止部に係合させて鎖錠を行うラッチ錠において、ケースの外面に囲装した補強部材をケースに対して着脱自在したものとして、該補強部材は底枠板部の両側に側枠板部を折曲形成して前記ケースの底面及び両側面を覆うものとし、さらに、前記ケースの上部周縁に張設した鍔板の下面に添装する庇板部を前記側枠板部の先端に折曲形成したことを特徴とするものである。また、ケースの外面に補強部材嵌合用の凹段部を形成することが好ましい。
【０００５】
【発明の実施の形態】
次に、本発明の好ましい実施の形態を図面に基づき説明する。
図１、図２及び図３において１はポリプロピレン等のプラスチックよりなるケースであり、該ケース１の上部周縁には鍔板１１が張設されている。２は前記ケース１の外面を囲装した鋼板製の補強部材であり、該補強部材２は底枠板部２ａの両側に側枠板部２ｂ、２ｂを折曲形成してケース１の底面１ａ及び両側面１ｂ、１ｂを覆うとともに両側枠板部２ｂ、２ｂの先端に前記鍔板１１の下面に添装する庇板部２ｃを折曲形成したものである。また、この補強部材２はケース１の両側面１ｂ、１ｂに係止爪１２、１２を設けたものに対応して該係止爪１２、１２を露出用の窓孔２２、２２を設けている。係止爪１２、１２はケース１をパネル２０１の取付孔２０２の保持するものであるが、該係止爪１２、１２と窓孔２２、２２とによりケース１に対し補強部材２を着脱自在にする機能を兼ねている。さらに、ケース１の外面すなわち両側面１ｂ、１ｂには補強部材２の板厚に相当する補強部材嵌合用の凹段部１３が形成されている。
【０００６】
３は前記ケース１内に進退動可能に嵌合したラッチ棒であり、該ラッチ棒３は図４に示すように先端係合部３ａをケース１の前面開口１ｃから突出させて盤類の箱１０１に設けた係止部１０３に係合して鎖錠を行うものである。このラッチ棒３はケース１の上面に設けた窓孔１５に起倒自在に取り付けたレバー４がケース１内に収まった伏倒状態においては該レバー４に押圧されて鎖錠位置をとるが、図５に示すようにレバー４を引き起こした状態ではレバー４による押圧を解除されて常時解錠方向に附勢するバネ５により解錠位置に待機するものである。なお、ラッチ棒３の鎖錠・解錠ための操作手段はこのようなレバー４及びバネ５に限定されるものではなく確実に鎖錠・解錠が行うことのできるものであればどの様なものでもよい。
【０００７】
このように構成されたものは、盤類の箱１０１の内扉やシールド板等のパネル２０１に取り付けて、レバー４を操作することにより、ラッチ棒３を盤類の箱１０１のパネル２０１の支持部１０２に設けた係止部１０３に係脱させてパネル２０１の鎖錠・解錠を行うものである。
【０００８】
本発明においては、ケース１がポリプロピレン等のプラスチックよりなるものであるが、該ケース１の外面は鋼板製の補強部材２により囲装されているので、鎖錠状態下においてパネル２０１に衝撃、振動が加わりラッチ棒３が左右及び上下方向の力を受けてケース１の内面に当たってもケース１の外面が補強部材２により補強されているのでケース１が損傷してラッチ錠としての機能を失うことが無いものである。
【０００９】
すなわち、補強部材２を底枠板部２ａの両側に側枠板部２ｂ、２ｂを折曲形成してケース１の底面１ａ及び両側面１ｂ、１ｂを覆うとともに両側枠板部２ｂ、２ｂの先端に前記鍔板１１の下面に添装する庇板部２ｃを折曲形成したものにあっては、ラッチ棒３が左右方向の力を受けてケース１の両側面１ｂ、１ｂの内面に強く当たっても補強部材２の側枠板部２ｂ、２ｂが該両側面１ｂ、１ｂの外面を支えているので損傷することが無く、また、鍔板１１の下面をパネル２０１の取付孔２０２の周縁上面に当接して取り付けても、ケース１がラッチ棒３により上下方向の力を受けて底面１ａを下方に押圧しても該底面１ａは底枠板部２ａにより補強されているので損傷することが無く、さらに、鍔板１１の下面と取付孔２０２の周縁上面との間に補強部材２の庇板部２ｃが介在されているので鍔板１１が破損する虞もないものである。
【００１０】
また、ケース１の係止爪１２、１２をケース１の内側に向けて押圧すると同時に、補強部材２をケース１の底面の方向に移動させることにより、ケース１から補強部材２を外すことが可能である。すなわち、補強部材２はケース１に対して着脱自在であるので、パネル２０１に機器を取付けしない軽量のものであり衝撃、振動をラッチ棒３に与えないものにあっては、補強部材２を取り付けせず使用して、用途に応じて補強部材２の取り付けるか否かを選択でき、従来のように２種類のラッチ錠を用意しなくてもよいため、製造コストや部品管理のコストが抑えられる利点がある。さらに、ケース１の外面すなわち両側面１ｂ、１ｂから鍔板１１の下面に亘り補強部材２の板厚に相当する補強部材嵌合用の凹段部１３を形成することにより、補強部材２がケース１の外面より突出しないので、ケース１の取付寸法が変わらないので、内扉やシールド板等のパネルにラッチ錠を取り付けるための取付孔２０２は補強部材２を装着するものとしないものとの寸法が同一でよくこの面からも製造コストを押さえることも可能である。
【００１１】
また、ケース１の上部周縁には鍔板１１が張設するとともにケース１の両側面１ｂ、１ｂに係止爪１２、１２を設けたものとして、鍔板１１と係止爪１２、１２の間に庇板部２ｃを介在させてパネル２０１の取付孔２０２の周縁を挟持させてケース１を取り付ける構成とした場合に、これに対応させ補強部材２の底枠板部２ａの両側に折曲形成した側枠板部２ｂ、２ｂに前記係止爪１２、１２を露出用の窓孔２２、２２を設けるとにより、補強部材２は該窓孔２２、２２が係止爪１２、１２に係合してケース１から抜け落ちることが無いのでパネル２０１の取付孔２０２への取付作業を容易に行うことができる。
【００１２】
【発明の効果】
以上に説明したように、本発明のラッチ錠は、ケースがポリプロピレン等のプラスチックよりなるものであるが、該ケースの外面に囲装した補強部材をケースに対して着脱自在としたので、用途に応じて補強部材を取り付けるか否かを選択できるため、従来のように２種類のラッチ錠を用意しなくてもよいため、製造コストや部品管理のコストが抑えられる利点がある。
従って、従来のラッチ錠の問題点を解決したものとして業界にもたらす益大なものである。
【図面の簡単な説明】
【図１】本発明の実施の形態を示す一部切欠斜視図である。
【図２】本発明の実施の形態を分解して示す斜視図である。
【図３】本発明の実施の形態の要部を示す断面図である。
【図４】本発明の実施の形態を鎖錠状態で示す一部切欠正面図である。
【図５】本発明の実施の形態を解錠状態で示す一部切欠正面図である。
【図６】従来例を斜視図である。
【符号の説明】
１  ケース
２  補強部材
３  ラッチ棒
3a  先端係合部
13  凹段部
103 係止部
【図１】
0004526052.tif 000002
【図２】
0004526052.tif 000003
【図３】
0004526052.tif 000004
【図４】
0004526052.tif 000005
【図５】
0004526052.tif 000006
【図６】
0004526052.tif 000007